(57)【要約】【課題】手すり基材の表面に貼り付けられる化粧シートの剥がれを抑制する。【解決手段】長尺状の基材と、前記基材の外周面を覆う化粧シートと、を備える手すりであって、前記基材には、前記基材の軸方向に沿って、前記基材の外周面から軸の中心に向かって凹む溝が設けられ、前記溝は、前記基材の軸の中心に向かって幅が拡大する拡大部を有し、前記拡大部には、前記化粧シートの両側端部が貼り付けられることを特徴とする。【選択図】図１
2019190006.tif 000002
【特許請求の範囲】
【請求項１】
長尺状の基材と、
前記基材の外周面を覆う化粧シートと、を備える手すりであって、
前記基材には、前記基材の軸方向に沿って、前記基材の外周面から凹む溝が設けられ、
前記溝は、前記基材の軸の中心に向かって幅が拡大する拡大部を有し、
前記化粧シートの両側端部が前記拡大部に貼り付けられることを特徴とする
手すり。
【請求項２】
前記溝には、前記溝に嵌合する嵌合部材が設けられることを特徴とする
請求項１に記載の手すり。
【請求項３】
前記嵌合部材は、弾性部を有することを特徴とする
請求項２に記載の手すり。
【発明の詳細な説明】
【技術分野】
【０００１】
本発明は、手すりに関する。
【背景技術】
【０００２】
従来から、手すりの基材（棒材）の外周面の長尺状に一条の凹溝を設けて、基材の外周面に帯状の化粧シートを貼り付け、化粧シートの長手方向両側端部を基材の凹溝内に納めて貼り付けしたものが知られている（例えば、特許文献１参照）。
【０００３】
このような従来の手すりにおいては、化粧シートの長手方向両側端部を基材の溝内に納め、重ね合わせのない継ぎ目として凹溝内面に貼り付けている。これにより、化粧シートの継ぎ目を見えにくくするとともに、化粧シート用の接着剤を用いずに安価な手すりを提供することができる。
【先行技術文献】
【特許文献】
【０００４】
【特許文献１】特許第６１６７７０１号公報
【発明の概要】
【発明が解決しようとする課題】
【０００５】
しかしながら、基材の凹溝内に、例えば爪や先端が尖った物等が入り込んで化粧シートの端部に引っかかってしまうと、化粧シートが剥がれてしまうおそれがある。
【０００６】
本発明は、このような課題を解決するためになされたものであり、手すりの基材の表面に貼り付けられる化粧シートの剥がれを抑制する手すりを提供することを目的とする。
【課題を解決するための手段】
【０００７】
上記目的を達成するために、本発明の一態様に係る手すりによれば、長尺状の基材と、基材の外周面を覆う化粧シートと、を備える手すりであって、基材には、基材の軸方向に沿って、前記基材の外周面から凹む溝が設けられ、溝は、基材の軸の中心に向かって幅が拡大する拡大部を有し、化粧シートの両側端部が拡大部に貼り付けられることを特徴とする。
【０００８】
この構成によれば、化粧シートの両側端部が拡大部に貼り付けられているため、溝内に例えば爪や尖ったもの等が入り込んだ場合であっても、それらが化粧シートの端部に引っかかってしまうことが抑制される。そのため、化粧シートが剥がれてしまうことを抑制することができる。
【０００９】
また、本発明の一態様に係る手すりにおいて、好ましくは、溝には、溝に嵌合する嵌合部材が設けられることを特徴とする。
【００１０】
この構成によれば、溝に嵌合する嵌合部材が設けられるため、溝内に例えば爪や尖ったもの等が入り込むことが抑制される。そのため、化粧シートが剥がれてしまうことをより抑制することができる。
【００１１】
また、本発明の一態様に係る手すりにおいて、好ましくは、嵌合部材は、弾性部を有することを特徴とする。
【００１２】
この構成によれば、嵌合部材は弾性部を有しているので、溝に嵌合部材を嵌合させるとき、弾性部を弾性変形させながら嵌合部材を溝に入れ込むことができる。そのため、溝への嵌合部材の取付を容易にすることができる。
【発明の効果】
【００１３】
本発明によれば、手すりにおいて、手すりの基材の表面に貼り付けられる化粧シートの剥がれを抑制することができる。
【図面の簡単な説明】
【００１４】
【図１】本発明の第一実施形態に係る手すりの斜視断面図である。
【図２】本発明の第一実施形態に係る手すりの断面図である。
【図３】本発明の第一実施形態に係る手すりの拡大断面図である。
【図４】本発明の第一実施形態に係る手すりの断面図である。
【図５】本発明の第二実施形態に係る手すりの断面図である。
【図６】本発明の変形例に係る手すりの断面図である。
【発明を実施するための形態】
【００１５】
以下、本発明の実施の形態について添付図面を参照しながら説明する。なお、各図面中、同様の構成要素には同一の符号を付して詳細な説明は適宜省略する。
【００１６】
図１〜図４を参照して、本発明の第一実施形態に係る手すりについて説明する。
【００１７】
図１は、本発明の第一実施形態に係る手すりの斜視断面図である。図２は、本発明の第一実施形態に係る手すりの断面図である。図３は、本発明の第一実施形態に係る手すりの拡大断面図である。図４は、本発明の第一実施形態に係る手すりの断面図である。
【００１８】
図１及び図２に示すように、手すり１は、長尺状の基材１０と、基材１０の外周面を覆う化粧シート２０を備えている。化粧シート２０は方形状のシートであり、接着剤等によって、基材１０に貼り付けられる。また、基材１０の両側端部には固定部（図示せず）が設けられ、固定部（図示せず）によって手すり１が壁面に固定される。
【００１９】
基材１０には、基材１０の軸方向に沿って、基材１０の外周面から内側に向かって凹む溝１１が設けられている。詳細は後述するが、この溝１１には嵌合部材４０が設けられる。
【００２０】
図３に示すように、溝１１は、溝１１の最深部である底面１２と、底面１２と溝１１の最上端とをつなぐ側面１３と、により構成されている。
この溝１１は、基材１０の軸の中心Ｐ（図２参照）に向かって基材１０の軸方向（基材１０が延びている方向）に直交する方向に溝の幅が拡大する拡大部１３ａを有している。具体的には、溝１１の側面１３に拡大部１３ａが形成されており、溝１１の上部の側面１３と拡大部１３ａとが段状になるように形成されている。また、基材１０の軸の中心Ｐに向かう方向における拡大部１３ａの端部と、溝１１の最深部である底面１２は、連続して形成されている。
なお、底面１２は平面に形成されているが、曲面で形成されていてもよい。
【００２１】
また、化粧シート２０の両側の端部２１が、溝１１の拡大部１３ａに貼り付けられている。より詳しくは、化粧シート２０の一方の端部２１は、溝１１の一方の側面１３の拡大部１３ａに貼り付けられ、化粧シート２０の他方の端部２１は、溝１１の他方の側面１３の拡大部１３ａに貼り付けられている。また、化粧シート２０の一方の端部２１と、他方の端部２１との間には隙間が設けられている。
【００２２】
このように、化粧シート２０の両側の端部２１が、拡大部１３ａに貼り付けられているため、溝１１内に例えば爪や尖ったもの等が入り込んだ場合であっても、それらが化粧シート２０の端部２１に引っ掛かることが抑制される。そのため、化粧シート２０が基材１０から剥がれてしまうことを抑制することができる。
【００２３】
さらに、図４に示すように、基材１０の溝１１には、溝１１に嵌合する嵌合部材４０が設けられる。嵌合部材４０は、弾性を有する材料（例えば、ゴム等）によって構成されており、全体が弾性部としての機能を有している。
【００２４】
嵌合部材４０は、溝１１内の上部に位置するとともに、上面が基材１１の外表面と略面一となる基部４１と、基部４１から溝１１内に向かう方向に突出する一対の突出部４２と、を有している。この一対の突出部４２は、基材１０の軸方向と直交する方向（図４の正面視における左右方向）の基部４１の両側端部から下方に向けてそれぞれ突出しており、一方の突出部４２と他方の突出部４２との間には間隙が形成されている。
【００２５】
突出部４２には、溝１１の側面１３に係止される係止爪４２ａが設けられている。具体的には、係止爪４２ａは、突出部４２の外側面から溝１１の側面１３に向かう方向に突出する爪であり、溝１１の上部の側面１３と拡大部１３ａとの間の段差に引っかかるようになっている。また、基材１０の軸方向と直交する方向の断面（図４の正面視）において、突出部４２の下端面は円弧状に形成されている。
【００２６】
ここで、嵌合部材４０を溝１１に取り付けるとき、まず溝１１に突出部４２が入り込む。このとき、一対の突出部４２の間の間隙に向かう方向に突出部４２が弾性変形する。さらに、突出部４２の下端面は円弧状に形成されているので、円弧状の面がガイドの役割を果たす。そして、そのまま嵌合部材４０を溝１１内に押し込んで係止爪４２ａが拡大部１３ａまで到達すると、弾性変形していた突出部４２が元の形状に戻るとともに、係止爪４２ａが溝１１の上部の側面１３と拡大部１３ａとの間の段差に引っかかって、嵌合部材４０が溝１１内に係止される。
また、突出部４２の最下端は、底面１２に当接し、基部４１の上面と化粧シート２０が貼り付けられた状態の手すり１の外表面とが略面一になるように構成されている。
【００２７】
このように、溝１１に嵌合する嵌合部材４０が設けられているため、溝１１内に例えば爪や尖ったもの等が入り込むことが抑制される。そのため、化粧シートが剥がれてしまうことをより抑制することができる。
【００２８】
さらに、嵌合部材４０は弾性部を有している（本実施形態においては、全体が弾性部として機能する）ため、溝１１に嵌合部材４０を嵌合させるとき、弾性部を弾性変形させながら嵌合部材４０を溝１１に入れ込むことができる。そのため、溝１１への嵌合部材４０の取付を容易にすることができる。
【００２９】
また、化粧シート２０の端部２１は、嵌合部材４０が弾性部として機能する部分と、溝１１内の面との間に設けられている。つまり、化粧シートの端部２１は、嵌合部材４０の弾性によって溝１１内の面に密着するように設けられる。
このように、化粧シート２０の端部２１が、嵌合部材４０が弾性部として機能する部分と溝１１内の面との間に設けられることによって、基材１０と化粧シート２０の密着性を向上させることができる。さらに、製造上のバラつきによって化粧シート２０の基材１０への密着が弱い箇所がある場合であっても、嵌合部材４０によって化粧シート２０の剥がれをより抑制することができる。
【００３０】
なお、嵌合部材４０全体が弾性部としての機能を有する構成を説明したが、嵌合部材４０の一部が弾性部として機能するような構成でもよい。例えば、突出部４２及び係止爪４２ａのみが弾性部として弾性変形するような構成であってもよい。
【００３１】
つぎに、図５を参照して、本発明の第二実施形態に係る手すりについて説明する。
なお、前述した実施形態と同様の部分については、同一の符号を付し、説明は省略する。
【００３２】
図５は、本発明の第二実施形態に係る手すりの断面図である。
【００３３】
図５に示すように、第二実施形態に係る手すり２は、長尺状の基材１０と、基材１０の外周面を覆う化粧シート２０を備えている。基材１０には、基材１０の軸方向に沿って、基材１０の外周面から内側に向かって凹む溝１１が設けられている。
【００３４】
溝１１は、溝１１の最深部である底面１２と、底面１２と溝１１の最上端とをつなぐ側面１３と、により構成されている。
この溝１１は、基材１０の軸の中心Ｐに向かって基材１０の軸方向（基材１０が延びている方向）に直交する方向に溝の幅が拡大する拡大部１３ｂを有している。具体的には、溝１１の側面１３に拡大部１３ｂが形成されており、拡大部１３ｂは、溝１１の最上端から底面１２にむかって、徐々に溝の幅が拡大するように形成されている。また、基材１０の軸の中心Ｐに向かう方向における拡大部１３ｂの端部と、溝１１の最深部である底面１２は、連続して形成されている。
【００３５】
また、化粧シート２０の両側の端部２１が、溝１１の拡大部１３ｂに貼り付けられている。より詳しくは、化粧シート２０の一方の端部２１は、溝１１の一方の側面１３の拡大部１３ｂに貼り付けられ、化粧シート２０の他方の端部２１は、溝１１の他方の側面１３の拡大部１３ｂに貼り付けられている。また、化粧シート２０の一方の端部２１と、他方の端部２１との間には隙間が設けられている。
【００３６】
このように、化粧シート２０の両側の端部２１が、拡大部１３ｂに貼り付けられているため、溝１１内に例えば爪や尖ったもの等が入り込んだ場合であっても、それらが化粧シート２０の端部２１に引っ掛かることが抑制される。そのため、化粧シート２０が基材１０から剥がれてしまうことを抑制することができる。
【００３７】
なお、第二実施形態に係る手すり２においても、溝１１に嵌合する嵌合部材４０が設けられていてもよい。
【００３８】
つぎに、図６を参照して、本発明の変形例に係る手すりについて説明する。
なお、前述した実施形態と同様の部分については、同一の符号を付し、説明は省略する。
【００３９】
図６は、本発明の変形例に係る手すりの断面図である。
【００４０】
図６に示すように、変形例に係る手すり３の溝１１は、基材１０の軸の中心Ｐに向かって基材１０の軸方向（基材１０が延びている方向）に直交する方向に溝の幅が拡大する拡大部１３ａを有している。
また、化粧シート２０の両側の端部２１が、溝１１の拡大部１３ａに貼り付けられている。より詳しくは、化粧シート２０の一方の端部２１は、溝１１の一方の側面１３の拡大部１３ａに貼り付けられ、化粧シート２０の他方の端部２１は、溝１１の一方の側面１３の拡大部１３ａに貼り付けられている。換言すると、化粧シート２０の両側の端部２１が、溝１１の一方の側面１３の拡大部１３ａに貼り付けられている。また、このとき、化粧シート２０の一方の端部２１と、他方の端部２１との間には隙間が設けられている。
【００４１】
以上、本発明の実施の形態について説明したが、本発明はこれらの記述に限定されるものではない。前述の実施の形態に関して、当業者が適宜設計変更を加えたものも、本発明の特徴を備えている限り、本発明の範囲に包含される。例えば、操作入力装置が備える各要素の形状、寸法、材質、配置、設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４２】
１〜３    手すり
１０    基材
１１    溝
１２    底面
１３    側面
１３ａ、１３ｂ  拡大部
２０    化粧シート
２１    端部
４０    嵌合部材
４１    基部
４２    突出部
４２ａ  係止爪
Ｐ    基材の軸の中心
【図１】
2019190006.tif 000003
【図２】
2019190006.tif 000004
【図３】
2019190006.tif 000005
【図４】
2019190006.tif 000006
【図５】
2019190006.tif 000007
【図６】
2019190006.tif 000008